(57)【要約】【課題】セルフタイマー機能を使用して人物を撮影する場合、複数個の静止画像の撮影を行い、シャッターチャンスを捉えた画像と自然な雰囲気の画像を撮影できる撮像装置を提供する。【解決手段】複数個の静止画像の各々の撮影開始タイミングに撮影開始音声信号の再生の有無を選択可能とする。そのことにより、撮影開始音声信号による音声にて撮影開始を報知するシャッターチャンスを捉えた画像を取得し、逆に撮影開始音声信号による音声での撮影開始の報知を行なわないことで、被写体である人物がカメラによる撮影を意識しない自然な雰囲気の画像を撮影できる。また、再生時のマルチ画像表示において、音声信号の再生有無で異なる装飾情報を付加することにより、シャッターチャンスを捉えた画像と自然な雰囲気の画像を区別することができる。【選択図】図２
2010074517.tif 000002
【特許請求の範囲】
【請求項１】
静止画像を撮影して画像信号を生成する撮像手段と、
セルフタイマー撮影を指示する指示手段と、
該指示手段による指示から所定時間後に前記撮像手段が静止画像を所定間隔で複数個撮影するように前記撮像手段の駆動を制御する制御手段と、
前記撮像手段により静止画像の撮影開始を報知する撮影開始音声信号を記憶する音声信号記憶手段と、
前記撮影開始音声信号を再生する音声信号再生手段と、
前記撮像手段により所定間隔で撮影される複数個の静止画像の各々の撮影開始タイミングに前記撮影開始音声信号の再生の有無を選択設定する設定手段を備えることを特徴とする撮像装置。
【請求項２】
前記撮像手段により撮影した静止画像に対応する画像信号を該静止画像の撮影時に前記撮影開始音声信号の再生があったか否かを識別する識別情報と共に記録媒体に記録する記録手段を備えることを特徴とする請求項１記載の撮像装置。
【請求項３】
前記所定時間を設定する撮影開始時間設定手段と、
前記所定間隔の時間を設定する撮影間隔時間設定手段を備えることを特徴とする請求項１又は２記載の撮像装置。
【請求項４】
前記撮像手段により撮影される複数個の静止画像の個数を設定する撮影個数設定手段を備えることを特徴とする請求項１乃至３のいずれか１項に記載の撮像装置。
【請求項５】
前記音声信号記憶手段に記憶される撮影開始音声信号を取り込む音声信号入力手段を備えることを特徴とする請求項１乃至４のいずれか１項に記載の撮像装置。
【請求項６】
前記記録媒体から画像信号及び前記識別情報を再生する再生手段と、
該再生手段により再生された画像信号に対応する静止画像を縮小して得られる縮小静止画像を複数個表示するマルチ画像表示手段と、
該マルチ画像表示手段による複数個の縮小静止画像の表示に際して、前記識別情報により撮影時に前記撮影開始音声信号の再生があったと識別された静止画像の縮小静止画像と、前記識別情報により撮影時に前記撮影開始音声信号の再生がなかったと識別された静止画像の縮小静止画像の一方に第１の形態の装飾情報を付加する付加手段を備えることを特徴とする請求項２記載の撮像装置。
【請求項７】
前記記録媒体から画像信号及び前記識別情報を再生する再生手段と、
該再生手段により再生された画像信号に対応する静止画像を縮小して得られる縮小静止画像を複数個表示するマルチ画像表示手段と、
該マルチ画像表示手段による複数個の縮小静止画像の表示に際して、前記識別情報により撮影時に前記撮影開始音声信号の再生があったと識別された静止画像の縮小静止画像と、前記識別情報により撮影時に前記撮影開始音声信号の再生がなかったと識別された静止画像の縮小静止画像の一方に第１の形態の装飾情報を付加し、更に他方に前記第１の形態とは異なる第２の形態の装飾情報を付加する付加手段を備えることを特徴とする請求項６記載の撮像装置。
【発明の詳細な説明】
【技術分野】
【０００１】
本発明は、撮像装置に関し、特に例えばセルフタイマー機能を備えるディジタルカメラ等の電子カメラに関する。
【背景技術】
【０００２】
従来、電子カメラにおいて、セルフタイマー機能を使用して人物を撮影した場合、被写体たる人物がいつ撮影されるか分からず、目を閉じる等の好ましくない画像が撮影される可能性があった。
【０００３】
そこで、セルフタイマー機能を使用して人物を撮影した場合、撮影前に音声により被写体たる人物に注意を促し、同時に複数枚の連写をするカメラの一例が特許文献１に開示されている。
【０００４】
また、複数回行われる静止画撮影の各々の撮影開始タイミングに音声信号が再生されるカメラの一例が特許文献２に開示されている。
【特許文献１】特開２００２−３３０３２７号公報
【特許文献２】特開２００６−１８４５８９号公報
【発明の開示】
【発明が解決しようとする課題】
【０００５】
しかしながら、特許文献１においては、セルフタイマー機能を使用して人物を撮影する場合、音声が再生された後、同時に複数枚の連写をするものの、２枚目以降の各々の撮影開始タイミングに音声が再生される内容について、特許文献１にはなんら開示されていない。
【０００６】
また、特許文献２においては、複数回行われる静止画撮影の各々の撮影開始タイミングに音声信号が再生されるものの、複数回行われる各々の撮影開始タイミングに音声信号を再生させるか否かの設定について、特許文献２にはなんら開示されていない。
【０００７】
本発明は上記の問題を解決するもので、セルフタイマー機能を使用して人物を撮影する場合、複数個の撮影を行い、複数個の静止画像の各々の撮影開始タイミングに撮影開始音声信号の再生の有無を選択する手段を提供するものである。
【課題を解決するための手段】
【０００８】
第一の発明の設定手段は、静止画像を撮影して画像信号を生成する撮像手段と、セルフタイマー撮影を指示する指示手段と、該指示手段による指示から所定時間後に前記撮像手段が静止画像を所定間隔で複数個撮影するように前記撮像手段の駆動を制御する制御手段と、
前記撮像手段により静止画像の撮影開始を報知する撮影開始音声信号を記憶する音声信号記憶手段と、前記撮影開始音声信号を再生する音声信号再生手段と、前記撮像手段により所定間隔で撮影される複数個の静止画像の各々の撮影開始タイミングに前記撮影開始音声信号の再生の有無を選択設定する設定手段を備えることを特徴とする。
【０００９】
第二の発明の記録手段は、前記撮像手段により撮影した静止画像に対応する画像信号を該静止画像の撮影時に前記撮影開始音声信号の再生があったか否かを識別する識別情報と共に記録媒体に記録する記録手段を備えることを特徴とする。
【００１０】
第三の発明の設定手段は、前記所定時間を設定する撮影開始時間設定手段と、前記所定間隔の時間を設定する撮影間隔時間設定手段を備えることを特徴とする。
【００１１】
第四の発明の設定手段は、前記撮像手段により撮影される複数個の静止画像の個数を設定する撮影個数設定手段を備えることを特徴とする。
【００１２】
第五の発明の入力手段は、前記音声信号記憶手段に記憶される撮影開始音声信号を取り込む音声信号入力手段を備えることを特徴とする。
【００１３】
第六の発明の付加手段は、前記記録媒体から画像信号及び前記識別情報を再生する再生手段と、該再生手段により再生された画像信号に対応する静止画像を縮小して得られる縮小静止画像を複数個表示するマルチ画像表示手段と、該マルチ画像表示手段による複数個の縮小静止画像の表示に際して、前記識別情報により撮影時に前記撮影開始音声信号の再生があったと識別された静止画像の縮小静止画像と、前記識別情報により撮影時に前記撮影開始音声信号の再生がなかったと識別された静止画像の縮小静止画像の一方に第１の形態の装飾情報を付加する付加手段を備えることを特徴とする。
【００１４】
第七の発明の付加手段は、前記記録媒体から画像信号及び前記識別情報を再生する再生手段と、該再生手段により再生された画像信号に対応する静止画像を縮小して得られる縮小静止画像を複数個表示するマルチ画像表示手段と、該マルチ画像表示手段による複数個の縮小静止画像の表示に際して、前記識別情報により撮影時に前記撮影開始音声信号の再生があったと識別された静止画像の縮小静止画像と、前記識別情報により撮影時に前記撮影開始音声信号の再生がなかったと識別された静止画像の縮小静止画像の一方に第１の形態の装飾情報を付加し、更に他方に前記第１の形態とは異なる第２の形態の装飾情報を付加する付加手段を備えることを特徴とする。
【発明の効果】
【００１５】
以上述べた本発明によれば、セルフタイマー機能を使用して複数回の撮影を行う場合、複数個の静止画像の各々の撮影開始タイミングに撮影開始音声信号の再生の有無を選択設定することができ、シャッターチャンスを捉えた画像と自然な雰囲気の画像を選択的に撮影できる。
【発明を実施するための最良の形態】
【００１６】
本願発明の目的、特徴および利点は、図面を参照して行う以下の実施例の詳細な説明から一層明らかとなろう。
【００１７】
本実施例においては、撮像装置の１つの例として、電子カメラ１０の形態を説明する。
【００１８】
電子カメラ１０の外観図を図１に示す。図１の電子カメラ１０は、少なくとも図示しない撮像部、操作部２、表示部４、マイク部６、およびスピーカ部８を備える。撮像部では撮像動作が行われる。操作部２を構成する２ａ〜２ｈを詳しく説明すると、２ａは撮像動作を指示するシャッタボタン、２ｂは画像を拡大させるＴＥＬＥボタン、２ｃは画像を縮小させるＷＩＤＥボタンである。
【００１９】
２ｄは再生モードボタンであり、押下されると電子カメラは再生モードに移行する。同様に、２ｆは静止画撮像モードボタン、２ｅは動画撮像モードボタンであり、押下されると電子カメラはそれぞれのモードに移行する。２ｇは４方向に操作されることにより表示部４内に表示される項目等を選択指示するカーソルキーであり、４方向の中心部が押下されることにより、項目等を決定することができる。そして、２ｈは表示部４に、選択可能な項目等を表示させるメニューボタンである。
【００２０】
さらに図１で示した電子カメラ１０内部のブロック図である図２を用いて電子カメラ１０を更に詳細に説明する。電子カメラ１０は、操作部２、表示部４、マイク部６、スピーカ部８、撮像レンズ２２、絞り機構２４、ＣＣＤイメージャ２６、撮像処理部２８、ＳＤＲＡＭ３０、ビデオエンコーダ３２、メニュー切替スイッチ３４、ＣＰＵ３６、圧縮・伸張処理部４０、スピーカアンプ４２、カード制御部４４、音声処理部４８、画像用Ｄ／Ａ変換回路５０、データ処理部５２、キャラクタ生成部５４、フラッシュメモリ５６および音声用Ｄ／Ａ変換回路５８を備えて構成されている。
【００２１】
撮像レンズ２２は、被写体の光学像を撮像デバイスであるＣＣＤイメージャ２６の撮像面上に結像させる。また、撮像レンズ２２はＣＣＤイメージャ２６の出力信号に基づいて光軸方向の移動が調節される。絞り機構２４は、制御されることにより撮像レンズ２２よりＣＣＤイメージャ２６に入る光を調節する。これらの撮像レンズ２２および絞り機構２４の調節は図示しないモータ駆動部で行われる。
【００２２】
ＣＣＤイメージャ２６から出力されたアナログ撮像信号は、撮像処理部２８によって色分離、白バランス調整、ＹＵＶ変換等の所定の処理が行われ、輝度信号であるＹ信号および色差信号であるＵ、Ｖ信号に変換される。
【００２３】
ＣＰＵ３６は、操作部２、撮像処理部２８、ＳＤＲＡＭ３０、メニュー切替スイッチ３４、圧縮・伸張処理部４０、スピーカアンプ４２、カード制御部４４、音声処理部４８、画像用Ｄ／Ａ変換回路５０、データ処理部５２、キャラクタ生成部５４、フラッシュメモリ５６および音声用Ｄ／Ａ変換回路５８に接続される。ＣＰＵ３６は、フラッシュメモリ５６に格納されているプログラムに従って、撮像処理部２８、ＳＤＲＡＭ３０、圧縮・伸張処理部４０、スピーカアンプ４２、カード制御部４４、音声処理部４８、画像用Ｄ／Ａ変換回路５０、データ処理部５２、キャラクタ生成部５４および音声用Ｄ／Ａ変換回路５８の制御を行う。
【００２４】
次に、操作部２が操作されることによる電子カメラ１０の動作の説明をする。
【００２５】
上述したように、操作部２は、各種ボタンまたはキー２ａ〜２ｈで構成される。ＣＰＵ３６は静止画撮像モードボタン２ｆが押下されることによって静止画撮像モード状態にあるとき、シャッタボタン２ａが押下されることによって静止画撮像操作がなされる。そして、１フレーム分の被写体の光学像が撮像レンズ２２、絞り機構２４、ＣＣＤイメージャ２６、撮像処理部２８によって所定の処理がなされ、撮像処理部２８によって得られたＹ、Ｕ、Ｖ信号であるディジタル画像データがＳＤＲＡＭ３０に一旦格納される。
【００２６】
その後、一旦格納された１フレーム分のディジタル画像データは、圧縮・信号処理部４０、ここではＪＰＥＧコーデックによって、ＪＰＥＧ形式で圧縮される。圧縮された圧縮ディジタル画像データは再びＳＤＲＡＭ３０に格納される。
【００２７】
また、データ処理部５２にて、一旦格納された１フレーム分のディジタル画像データから縮小処理によりサムネイルデータが生成され、ＳＤＲＡＭ３０に格納され、圧縮・伸張処理部４０にて、ＪＰＥＧコーデックによってＪＰＥＧ圧縮される。圧縮された圧縮サムネイルデータは、再びＳＤＲＡＭ３０に格納される。
【００２８】
そして、圧縮ディジタル画像データおよび圧縮サムネイルデータは、ＣＰＵ３６が１つの静止画像ファイルとしてカード制御部４４を制御することによって外部メモリカード４６に記録される。
【００２９】
再生モードボタン２ｄが押下されると、外部メモリカード４６に記録された最新の静止画像ファイルが再生される。
【００３０】
具体的には、静止画像ファイルが再生される場合、ＣＰＵ３６は、カード制御部４４を制御して、外部メモリカード４６に記録されている静止画像ファイルの圧縮画像データをＳＤＲＡＭ３０に一旦格納させる。ＳＤＲＡＭ３０に格納された圧縮画像データは、圧縮・伸張処理部４０にて、ＪＰＥＧコーデックにより伸張処理される。伸張処理されたディジタル画像データは、ＳＤＲＡＭ３０に一旦格納され、画像用Ｄ／Ａ変換回路５０によりアナログ画像信号に変換される。ビデオエンコーダ３２は、画像用Ｄ／Ａ変換回路５０からのアナログ画像データを基に映像信号に変換し、表示部４において変換された映像信号を表示する。
【００３１】
また、再生モード状態において、キャラクタ生成部５４にキャラクタを生成させ、表示部４に表示される画像に重畳して表示させる。キャラクタの例として、サムネイル表示におけるサムネイル表示画像の選択サムネイルを示すための枠マークまたは、図１０に示す装飾情報設定メニューのような装飾情報などがある。
【００３２】
そして、表示部４に静止画像ファイルの静止画像が再生されている状態で、カーソルキー２ｇの４方向のうち、左方向または右方向を押下されることにより、表示部４に再生される静止画像の１フレーム分の画像が次の画像に更新される。
【００３３】
また、静止画像ファイルが再生されている状態で、ＷＩＤＥボタン２ｃが押下されると、例えば図３に示すように、外部メモリカード４６に記録されている静止画像ファイルの９つのサムネイル３０１〜３０９で構成されるマルチ画像が表示される。
【００３４】
９つのサムネイルで構成されるマルチ画像データは図示しないＳＤＲＡＭ３０の一部のバッファに格納され、画像用Ｄ／Ａ変換回路５０によりアナログ画像信号に変換される。ビデオエンコーダ３２は、画像用Ｄ／Ａ変換回路５０からのアナログ画像信号を基に映像信号に変換し表示部４に表示する。
【００３５】
そして、使用者はカーソルキー２ｇを４方向に押下することによって、９つのサムネイルから所望のサムネイルを選択することができる。選択サムネイルには枠マーク１００が配置される。そして、決定操作であるカーソルキー２ｇの中心部が押下されると、表示部４には、選択されたサムネイルに対応する１フレームのディジタル画像データが表示される。
【００３６】
また、操作部２により音声録音設定が為されたときには、マイク部６から音声を取り込み、音声処理部４８によってデジタル音声データに変換され、圧縮・伸張処理部４０にて圧縮されて音声ファイルとしてフラッシュメモリ５６に記録される。
【００３７】
そして、音声ファイルがスピーカ部８に再生出力される処理を説明する。フラッシュメモリ５６に記録された音声ファイルは圧縮・伸張処理部４０で伸張処理され、音声用Ｄ／Ａ変換回路５８によりアナログ音声信号に変換され、スピーカアンプ４２にて音声信号にアンプ処理され、スピーカ部８に出力される。
【００３８】
次にＣＰＵ３６が行う処理を図４乃至図７を用いて詳述する。
【００３９】
まず、図４を参照して、セルフタイマー設定処理を説明する。
【００４０】
メニューボタン２ｈが押下され、カーソルキー２gの操作と決定操作つまりカーソルキー２gの中央部が押下されることに基づいて、セルフタイマーが設定されると、ステップＳ１７へ進み、図９に示すようなセルフタイマー設定メニューが表示部４に表示される。
【００４１】
ステップＳ１７において、図９に示すようなセルフタイマー設定メニューから、カーソルキー２gの操作と決定操作つまりカーソルキー２gの中央部が押下されることに基づいて、次に示すステップＳ１９、Ｓ２１、Ｓ２３、Ｓ２５を設定する。
【００４２】
ステップＳ１９において、撮影枚数“Ｎ”を設定する。
【００４３】
ステップＳ２１において、各々の撮影開始タイミングでの音声信号の再生有無を設定し、再生有の場合は識別情報“Ｆ＝１”が撮影時に画像と共に記録される。
【００４４】
ステップＳ２３において、セルフタイマー動作の開始から１枚目の撮影が行われるまでの撮影開始時間“Ｔａ”を設定する。
【００４５】
ステップＳ２５において、２枚目以降の撮影の撮影間隔時間“Ｔｂ”を設定する。
【００４６】
例えば、図９に示すセルフタイマー設定メニューのように、撮影枚数を３枚、撮影開始タイミングでの音声信号の再生有無を有、無、有の順で設定、撮影開始時間１０秒、撮影間隔時間２秒を設定する。
【００４７】
そして、ＣＰＵ３６はステップＳ２７にて、セルフタイマー設定メニューが終了されたか否かを判断する。ステップＳ２７にてＮＯと判断した場合、ステップＳ１７へ戻る。また、ステップＳ２７にてＹＥＳと判断した場合、セルフタイマー設定処理を終了する。
【００４８】
次に、図５を参照して、セルフタイマー撮影処理を説明する。
【００４９】
ＣＰＵ３６はステップＳ５３において、シャッタボタン２ａが押下されたか否かを判断する。ステップＳ５３にてＮＯと判断した場合、ステップＳ５３へ戻る。また、ステップＳ５３にてＹＥＳと判断した場合、ステップＳ５５へ進み、撮影枚数をカウントするためのカウンタＭをリセットする。そして、ステップＳ５７へ進み、Ｍ＝０か否かつまり1枚目の撮影か否かを判断する。
【００５０】
ステップＳ５７において、ＹＥＳと判断した場合、ステップＳ５９へ進み、撮影開始時間“Ｔａ”を待つ。また、ステップＳ５７にてＮＯと判断した場合、ステップＳ６１へ進み、撮影間隔時間“Ｔｂ”を待つ。次に、ステップＳ６３へ進み、音声信号の再生を行うか否かつまり識別情報“Ｆ＝１”が設定されているか否かを判断する。
【００５１】
ステップＳ６３において、ＹＥＳと判断した場合、ステップＳ６５へ進み、フラッシュメモリ５６に記録された音声ファイルが圧縮・伸張処理部４０で伸張処理され、音声用Ｄ／Ａ変換回路５８によりアナログ音声信号に変換され、スピーカアンプ４２にて音声信号にアンプ処理される。そして、スピーカ部８から例えば「はいチーズ」などの音声信号を報知する。また、報知させる音声信号としては、マイク部６から音声を取り込みフラッシュメモリ５６に記録された音声ファイル、または予めフラッシュメモリ５６に記録されている音声ファイルなどである。
【００５２】
次に、ステップＳ６７へ進み、ＣＣＤイメージャ２６から画像信号の取り込みを行う。そして、ステップＳ６９へ進み、撮像処理部２８にて信号処理を行い、ステップＳ７１にて画像データと共に“Ｆ＝１”をＳＤＲＡＭ３０に記憶する。
【００５３】
ＣＰＵ３６はステップＳ６３において、ＮＯと判断した場合、ステップＳ７３へ進み、音声信号を報知せずに、ＣＣＤイメージャ２６から画像信号の取り込みを行う。そして、ステップＳ７５へ進み、撮像処理部２８にて信号処理を行い、ステップＳ７７にて画像データをＳＤＲＡＭ３０に記憶する。
【００５４】
そして、ＣＰＵ３６はステップＳ７９へ進み、撮影枚数をカウントするためのカウンタＭをインクリメントする。次に、ステップＳ８１へ進み、Ｍ＝Ｎか否かつまり設定した撮影枚数Ｎに達したか否かを判断する。
【００５５】
ステップＳ８１において、ＮＯと判断した場合、ステップＳ５７へ戻る。また、ステップＳ８１にてＹＥＳと判断した場合、ステップＳ８３へ進み、圧縮・伸張処理部４０にてＳＤＲＡＭ３０に記憶済みの画像データの圧縮を行い、外部メモリカード４６に記録される。そして、セルフタイマー撮影処理を終了する。
【００５６】
次に、図６を参照して、装飾情報設定処理を説明する。
【００５７】
メニューボタン２ｈが押下され、カーソルキー２gの操作と決定操作つまりカーソルキー２gの中央部が押下されることに基づいて、装飾情報設定が選択されると、ＣＰＵ３６はステップＳ１０３へ進み、図１０に示すような星マークや波線マークなどの装飾情報設定メニューが表示部４に表示される。次にステップＳ１０５へ進む。
【００５８】
ステップＳ１０５において、Ｆ＝１の場合、例えば図１０に示すように星マークの装飾情報１を選択設定する。そして、ステップＳ１０７にてＦ＝１でない場合、例えば図１０に示すように波線マークの装飾情報２を選択設定する。
【００５９】
ＣＰＵ３６はステップＳ１０９にて、装飾情報設定メニューが終了されたか否かを判断する。ステップＳ１０９にてＮＯと判断した場合、ステップＳ１０３へ戻る。また、ステップＳ１０９にてＹＥＳと判断した場合、装飾情報設定処理を終了する。
【００６０】
次に、図７を参照して、マルチ画像表示処理を説明する。
【００６１】
再生モードボタン２ｄが押下されると、ＣＰＵ３６はステップＳ２０３へ進み、表示部４に外部メモリカード４６に記録された最新の静止画像ファイルの再生画像を表示させる。次にステップＳ２０５へ進み、マルチ画像表示が選択されたか否かつまりＷＩＤＥボタン２ｃが押下されたか否かを判断する。
【００６２】
ステップＳ２０５において、ＮＯと判断した場合、ステップＳ２０３へ戻る。また、ステップＳ２０５にてＹＥＳと判断した場合、ステップＳ２０９へ進み、表示枚数をカウントするためのカウンタＨをリセットする。そして、ステップＳ２１１へ進み、画像に識別情報“Ｆ＝１”が付随しているか否か、つまり撮影開始タイミングで音声信号の再生があったか否かを判断する。
【００６３】
ステップＳ２１１において、ＹＥＳと判断した場合、ステップＳ２１３へ進み、サムネイル画像の周辺に例えば星マークの装飾情報１を挿入する。また、ステップＳ２１１にてＮＯと判断した場合、ステップＳ２１５へ進み、サムネイル画像の周辺に例えば波線マークの装飾情報２を挿入する。
【００６４】
そして、ＣＰＵ３６はステップＳ２１７へ進み、表示枚数をカウントするためのカウンタＨをインクリメントする。次に、ステップＳ２１９へ進み、Ｈ＝９か否かつまり表示枚数が９枚になったか否かを判断する。
【００６５】
ステップＳ２１９において、ＮＯと判断した場合、ステップＳ２１１へ戻る。また、ステップＳ２１９にてＹＥＳと判断した場合、ステップＳ２２１へ進み、表示部４に図８に示すような９枚の画像がマルチ表示され、マルチ画像表示処理を終了する。
【００６６】
次に、図８を参照して、マルチ画像表示例を説明する。
【００６７】
図８のマルチ画像は９つのサムネイル４０１〜４０９で構成されている。そして、サムネイル４０５と４０９は、撮影開始タイミングでの音声信号の再生有の画像を示しており、サムネイル画像の周辺に星マーク４３１が装飾されている。また、サムネイル４０１〜４０４及びサムネイル４０６〜４０８は、撮影開始タイミングでの音声信号の再生無の画像を示しており、サムネイル画像の周辺に波線マーク４２１が装飾されている。
【００６８】
以上のように、セルフタイマー機能を使用して人物を撮影する場合、複数個の静止画像の撮影を行い、複数個の静止画像の各々の撮影開始タイミングに撮影開始音声信号の再生の有無を選択可能とする。そのことにより、撮影開始音声信号による音声にて撮影開始を報知するシャッターチャンスを捉えた画像を取得し、逆に撮影開始音声信号による音声での撮影開始の報知を行なわないことで、被写体である人物がカメラによる撮影を意識しない自然な雰囲気の画像を撮影できる。
【００６９】
また、再生時のマルチ画像表示において、音声信号の再生有無で異なる装飾情報を付加することにより、シャッターチャンスを捉えた画像と自然な雰囲気の画像を区別することができる。
【００７０】
なお、上述した実施例は、説明を容易にするために、９つのサムネイルで構成されているマルチ画像を用いて説明したが、９つ以外の個数のサムネイルで構成されているマルチ画像の場合であっても、同様の構成が可能となることは言うまでもない。また、上述した実施例では、撮像素子としてＣＣＤイメージャを用いて説明したが、これに限定されるものではなく、例えばＣＭＯＳセンサーなど他の撮像素子でも同様の構成が可能である。また同様に、上述した実施例では、セルフタイマーの設定値として、撮影枚数を３枚、撮影開始タイミングでの音声信号の再生有無を有、無、有の順で設定、撮影開始時間１０秒、撮影間隔時間２秒を設定する一実施例を説明したが、これに限定されるものではなく、他の設定値であっても良い。
【００７１】
また、上述した実施例では、図８に示すように撮影開始タイミングでの音声信号の再生有の画像には星マーク４３１を装飾し、音声信号の再生無の画像には波線マーク４２１を装飾する一実施例を説明したが、再生有の画像のみ星マーク４３１を装飾し、音声信号の再生無の画像には何ら装飾しなくても良い。また同様に、音声信号の再生無の画像には波線マーク４２１を装飾し、音声信号の再生有の画像には何ら装飾しなくても良い。そして、装飾情報としてサムネイル画像の周辺に星マークなどを装飾する一実施例を説明したが、サムネイル画像の周辺ではなく、サムネイル画像自体に音声信号の再生有無のマークまたは文字などを重畳させても良い。
【図面の簡単な説明】
【００７２】
【図１】本発明の一実施例である電子カメラの外観を示す外観図である。
【図２】本発明の一実施例である電子カメラの構成を示すブロック図である。
【図３】従来のマルチ画像表示の一例を示す図解図である。
【図４】本発明の一実施例である動作の一例を示すフロー図である。
【図５】本発明の一実施例である動作の一例を示すフロー図である。
【図６】本発明の一実施例である動作の一例を示すフロー図である。
【図７】本発明の一実施例である動作の一例を示すフロー図である。
【図８】本発明の一実施例であるマルチ画像表示の一例を示す図解図である。
【図９】本発明の一実施例であるセルフタイマー設定メニュー表示の一例を示す図解図である。
【図１０】本発明の一実施例である装飾情報設定メニュー表示の一例を示す図解図である。
【符号の説明】
【００７３】
２      …操作部
４      …表示部
１０    …電子カメラ
３０    …ＳＤＲＡＭ
３２    …ビデオエンコーダ
３６    …ＣＰＵ
４０    …圧縮・伸張処理部
４４    …カード制御部
４６    …外部カードメモリ
５０    …画像用Ｄ／Ａ変換回路
５２    …データ処理部
５４    …キャラクタ生成部
５６    …フラッシュメモリ
５８    …音声用Ｄ／Ａ変換回路
【図１】
2010074517.tif 000003
【図２】
2010074517.tif 000004
【図３】
2010074517.tif 000005
【図４】
2010074517.tif 000006
【図５】
2010074517.tif 000007
【図６】
2010074517.tif 000008
【図７】
2010074517.tif 000009
【図８】
2010074517.tif 000010
【図９】
2010074517.tif 000011
【図１０】
2010074517.tif 000012